(57)【要約】【課題】誤判断することなく、迅速に異常を検出する。【解決手段】加湿器本体１０と、給水タンク１１と、散水室２６と、給水タンク１１から供給される水を散水室２６へと導く給水管２７と、加熱手段（ヒータ２９）と、加湿部材（フィルタ部材３１）と、散水室２６から供給された水を給水管２７に循環供給する還流管２３と、送風手段（ファン３５）とを備えた加湿器において、給水管２７における加熱手段の上流または還流管２３内の水温を検出する温度検出手段３７と、温度検出手段３７による検出温度（Ｔ３７）と予め設定した２種以上の判定データのうち所定の判定データに基づいて、加湿部材の有無または送風手段の故障の有無を判断する異常判断手段（マイコン５８）とを設け、加湿動作の開始時の水温（Ｔ０）に基づいて異常判断手段が比較する２種以上の判定データのうち所定の判定データを選択する。【選択図】図７
2005351572.tif 000002
【特許請求の範囲】
【請求項１】
吸込口と吹出口とを連通する空気流路を有する加湿器本体と、
前記加湿器本体内に配設された給水タンクと、
前記加湿器本体内に配置され、下方に向かって水を供給する散水室と、
前記給水タンクから供給される水を、前記散水室へと導く給水管と、
該給水管内の水を加熱する加熱手段と、
前記散水室の下方の空気流路内に配置され、前記散水室から供給された水を吸収し、前記空気流路を流動する空気が通過する加湿部材と、
前記散水室から供給された水を前記給水管における前記加熱手段の上流側に循環供給する還流管と、
前記吸込口から空気流路に空気を取り入れ、前記加湿部材を通過させて加湿した後、前記吹出口から排出する送風手段とを備えた加湿器において、
前記給水管における加熱手段の上流または還流管内の水温を検出する温度検出手段と、
前記温度検出手段による検出温度と予め設定した２種以上の判定データのうち所定の判定データに基づいて、前記加湿部材の有無または送風手段の故障の有無を判断する異常判断手段とを設け、
加湿動作の開始時の水温に基づいて前記異常判断手段が比較する２種以上の判定データのうち所定の判定データを選択するようにしたことを特徴とする加湿器。
【請求項２】
吸込口と吹出口とを連通する空気流路を有する加湿器本体と、
前記加湿器本体内に配設された給水タンクと、
前記加湿器本体内に配置され、下方に向かって水を供給する散水室と、
前記給水タンクから供給される水を、前記散水室へと導く給水管と、
該給水管内の水を加熱する加熱手段と、
前記散水室の下方の空気流路内に配置され、前記散水室から供給された水を吸収し、前記空気流路を流動する空気が通過する加湿部材と、
前記散水室から供給された水を前記給水管における前記加熱手段の上流側に循環供給する還流管と、
前記吸込口から空気流路に空気を取り入れ、前記加湿部材を通過させて加湿した後、前記吹出口から排出する送風手段とを備えた加湿器において、
前記給水管における加熱手段の上流または還流管内の水温を検出する第１温度検出手段と、
前記加湿器本体の外部温度を検出する第２温度検出手段と、
前記第１温度検出手段による検出温度と予め設定した２種以上の判定データのうち所定の判定データに基づいて、前記加湿部材の有無または送風手段の故障の有無を判断する異常判断手段とを設け、
加湿動作時の前記第２温度検出手段による検出温度に基づいて前記異常判断手段が比較する２種以上の判定データのうち所定の判定データを選択するようにしたことを特徴とする加湿器。
【請求項３】
吸込口と吹出口とを連通する空気流路を有する加湿器本体と、
前記加湿器本体内に配設された給水タンクと、
前記加湿器本体内に配置され、下方に向かって水を供給する散水室と、
前記給水タンクから供給される水を、前記散水室へと導く給水管と、
該給水管内の水を加熱する加熱手段と、
前記散水室の下方の空気流路内に配置され、前記散水室から供給された水を吸収し、前記空気流路を流動する空気が通過する加湿部材と、
前記散水室から供給された水を前記給水管における前記加熱手段の上流側に循環供給する還流管と、
前記吸込口から空気流路に空気を取り入れ、前記加湿部材を通過させて加湿した後、前記吹出口から排出する送風手段とを備えた加湿器において、
前記給水管における加熱手段と還流管との間または還流管内の水温を検出する温度検出手段と、
前記温度検出手段によって所定時間毎に検出した検出温度の差と予め設定した判定データに基づいて、前記加湿部材の有無または送風手段の故障の有無を判断する異常判断手段とを設けたことを特徴とする加湿器。
【請求項４】
吸込口と吹出口とを連通する空気流路を有する加湿器本体と、
前記加湿器本体内に配設された給水タンクと、
前記加湿器本体内に配置され、下方に向かって水を供給する散水室と、
前記給水タンクから供給される水を、前記散水室へと導く給水管と、
該給水管内の水を加熱する加熱手段と、
前記散水室の下方の空気流路内に配置され、前記散水室から供給された水を吸収し、前記空気流路を流動する空気が通過する加湿部材と、
前記散水室から供給された水を前記給水管における前記加熱手段の上流側に循環供給する還流管と、
前記吸込口から空気流路に空気を取り入れ、前記加湿部材を通過させて加湿した後、前記吹出口から排出する送風手段とを備えた加湿器において、
前記給水管における加熱手段と還流管との間または還流管内の水温を検出する温度検出手段と、
前記温度検出手段による検出温度と予め設定した判定データに基づいて、前記加湿部材の有無を判断する異常判断手段とを設け、
前記加湿動作の開始前に、前記送風手段の動作を停止するとともに加熱手段を動作させた状態で前記異常判断手段による異常判断を行うようにしたことを特徴とする加湿器。
【発明の詳細な説明】
【技術分野】
【０００１】
本発明は、加湿器に関するものである。
【背景技術】
【０００２】
本発明の加湿器に関連する先行技術文献情報としては次のものがある。
【０００３】
【特許文献１】特開２００２−４８３６５号公報
【０００４】
この特許文献１では、常に一定量の水を収容する水槽と、この水槽内の水面に非接触状態で配設された気化エレメントと、前記水槽内の水を汲み上げて前記気化エレメントに上方から給水するポンプと、前記気化エレメントを通して送風して外部に放出する送風ファンとを備えた加湿器が提供されている。
【０００５】
この種のハイブリッド方式の加湿器は、使用しない時やメンテナンス時に、前記気化エレメントを取り外して清掃できるように構成されている。そして、このように気化エレメントを取り外した状態、即ち、気化エレメントを装着し忘れた状態で、ユーザが加湿動作を開始した場合、その加湿機能は著しく低下してしまう。そのため、このような誤使用を防止するために、加湿器には気化エレメントなどの加湿部材の装着の有無を検出し、未装着の場合にはユーザに知らせる機能が搭載されている。
【０００６】
この加湿部材の有無による異常判断機能の１つとしては、マイクロスイッチを用いたものがある。しかし、この場合には、マイクロスイッチを配設するためのスペースを確保する必要があるうえ、防水および耐熱機能を有する高価なスイッチを使用する必要があるため、コスト高になるという問題がある。
【０００７】
そこで、前記加湿部材に所定温度に加熱した水（お湯）を供給するために設置した温度センサを用い、この温度センサによる検出温度の変化に基づいて、加湿部材の有無を判断する方法を用いたものもある。しかし、この場合には、加湿部材の有無を迅速かつ正確に検出できないという問題がある。
【０００８】
具体的には、この温度センサによる加湿部材の有無の判断は、予めしきい値となる温度を判定データとして設定しておき、前記温度センサによる検出温度と前記判定データを比較することにより行う。ここで、判定データの設定温度を低くした場合、加湿部材が装着されているにも拘わらず未装着状態であると誤判断することがある。この誤判断は、周囲の温度が高い場合に、供給される水の温度も高く判定データに近くなることが原因の１つである。そこで、判定データの設定温度を高くした場合、誤判断の問題は解消できるが、加湿部材が未装着状態であるという異常判断が遅くなるという問題がある。
【発明の開示】
【発明が解決しようとする課題】
【０００９】
そこで、本発明では、誤判断することなく、迅速に異常を検出することができる加湿器を提供することを課題とするものである。
【課題を解決するための手段】
【００１０】
前記課題を解決するため、第１の発明の加湿器は、吸込口と吹出口とを連通する空気流路を有する加湿器本体と、前記加湿器本体内に配設された給水タンクと、前記加湿器本体内に配置され、下方に向かって水を供給する散水室と、前記給水タンクから供給される水を、前記散水室へと導く給水管と、該給水管内の水を加熱する加熱手段と、前記散水室の下方の空気流路内に配置され、前記散水室から供給された水を吸収し、前記空気流路を流動する空気が通過する加湿部材と、前記散水室から供給された水を前記給水管における前記加熱手段の上流側に循環供給する還流管と、前記吸込口から空気流路に空気を取り入れ、前記加湿部材を通過させて加湿した後、前記吹出口から排出する送風手段とを備えた加湿器において、前記給水管における加熱手段の上流または還流管内の水温を検出する温度検出手段と、前記温度検出手段による検出温度と予め設定した２種以上の判定データのうち所定の判定データに基づいて、前記加湿部材の有無または送風手段の故障の有無を判断する異常判断手段とを設け、加湿動作の開始時の水温に基づいて前記異常判断手段が比較する２種以上の判定データのうち所定の判定データを選択する構成としている。
【００１１】
また、第２の発明の加湿器は、前記給水管における加熱手段の上流または還流管内の水温を検出する第１温度検出手段と、前記加湿器本体の外部温度を検出する第２温度検出手段と、前記第１温度検出手段による検出温度と予め設定した２種以上の判定データのうち所定の判定データに基づいて、前記加湿部材の有無または送風手段の故障の有無を判断する異常判断手段とを設け、加湿動作時の前記第２温度検出手段による検出温度に基づいて前記異常判断手段が比較する２種以上の判定データのうち所定の判定データを選択する構成としている。
【００１２】
さらに、第３の発明の加湿器は、前記給水管における加熱手段と還流管との間または還流管内の水温を検出する温度検出手段と、前記温度検出手段によって所定時間毎に検出した検出温度の差と予め設定した判定データに基づいて、前記加湿部材の有無または送風手段の故障の有無を判断する異常判断手段とを設けた構成としている。
【００１３】
さらにまた、第４の発明の加湿器は、前記給水管における加熱手段と還流管との間または還流管内の水温を検出する温度検出手段と、前記温度検出手段による検出温度と予め設定した判定データに基づいて、前記加湿部材の有無を判断する異常判断手段とを設け、前記加湿動作の開始前に、前記送風手段の動作を停止するとともに加熱手段を動作させた状態で前記異常判断手段による異常判断を行う構成としている。
【発明の効果】
【００１４】
第１および第２の発明の加湿器では、温度検出手段による水の検出温度と比較する判定データを２種以上設け、加湿動作の開始時の水温に基づいて、または、加湿動作時の外部温度に基づいて、前記異常判断手段が比較する判定データを選択するため、外部の温度によって誤判断することなく、加湿部材が未装着であるという異常、または、送風手段が故障しているという異常を迅速に検出することができる。
【００１５】
また、第３の発明の加湿器では、所定時間毎に検出した検出温度の差に基づいて判断するため、加湿部材が未装着であるという異常、または、送風手段が故障しているという異常を迅速に検出することができる。
【００１６】
さらに、第４の発明の加湿器では、加湿動作の開始前に送風手段の動作を停止するとともに加熱手段を動作させ、散水室から供給される加熱された水が冷却されることを防止する。その結果、温度検出手段による検出温度と比較する判定データの設定温度を高くしても、加湿部材が未装着であるという異常を迅速に検出することができる。
【発明を実施するための最良の形態】
【００１７】
以下、本発明の実施の形態を図面に従って説明する。
【００１８】
図１および図２は、本実施形態に係る加湿器を示す。この加湿器は、大略、加湿器本体１０内に、散水室２６と、加湿部材であるフィルタ部材３１と、送風手段であるファン３５とを配設した構成である。
【００１９】
前記加湿器本体１０は、前後のケーシングを組み合わせたもので、図１に示すように、その内部側方に上面から着脱可能に給水タンク１１が収容されている。この給水タンク１１の下端開口部は、キャップ１２によって閉鎖されている。このキャップ１２には、押込可能に設けた閉鎖部材１３によって閉鎖された給水口１４が形成されている。
【００２０】
また、加湿器本体１０において、前記給水タンク１１の下方には、該給水タンク１１から供給される水が貯水される貯水槽１５が設けられている。この貯水槽１５の底面中央部には突部１６が形成されている。これにより、加湿器本体１０に給水タンク１１を装着すると、キャップ１２の閉鎖部材１３が突部１６に押し込まれて給水口１４が開放し、貯水槽１５への給水が行われる。但し、貯水槽１５内の水位が上昇し、給水口１４が水面下となれば、給水タンク１１内への空気の流入が阻止されるため、給水タンク１１内の空気圧が負圧となって給水は停止される。つまり、水位が給水口１４よりも降下することにより給水され、上昇することにより給水が停止される。したがって、貯水槽１５には、ほぼ一定量の水が貯水される。
【００２１】
さらに、加湿器本体１０には、図２に示すように、前面の吸込口１７と、上面の吹出口１８とを連通する空気流路１９が形成されている。吸込口１７は、加湿器本体１０の前面に着脱可能なカバー２０に形成される複数のスリットで構成されている。カバー２０の内側は、後述するフィルタ部材３１を着脱可能に装着するフィルタ装着室２１となっている。フィルタ装着室２１の底面は、落下した水滴を還流できるように、１箇所の還流孔２２に向かって傾斜するように形成されている。還流孔２２には、後述する給水管２７におけるヒータ２９の上流側に接続された還流管２３が接続されている。フィルタ装着室２１の上面には、後述するフィルタ部材３１を所定角度で傾斜した状態で保持するガイド部２４と係止受部２５とが設けられている。
【００２２】
前記散水室２６は、図１に示すように、前記フィルタ装着室２１の上方である加湿器本体１０の内部上方に配設された上面開口の箱形状のものである。この散水室２６の側面には、一端を前記貯水槽１５に接続した給水管２７が接続されている。具体的には、この給水管２７は、貯水槽の下面から下方に突出し、水平方向に屈曲して空気流路１９の下側に延びている。そして、給水管２７は、空気流路１９の下方側で略Ｕ字形となるように屈曲し、このＵ字部２８に、内部の水を加熱する加熱手段であるヒータ２９が配設されている。また、給水管２７は、Ｕ字部２８から給水タンク１１に沿って上方に向かい、水平方向に屈曲して散水室２６の側面を貫通し、その内部に突出している。そして、前記ヒータ２９に通電し、Ｕ字部２８内の水を加熱すると、加熱された水が沸騰し、給水管２７内を上昇することにより、散水室２６内に給水可能となっている。
【００２３】
前記散水室２６の底面には、図４に示すように、長手方向に複数列で複数の貫通孔３０が形成されている。加湿器本体１０の前面側に形成される貫通孔３０の列は、フィルタ部材３１の上面に水を供給するためのものであり、背面側に形成される貫通孔３０の列は、傾斜されたフィルタ部材３１の傾斜面に水を供給するためのものである。
【００２４】
前記フィルタ部材３１は、枠体３２内にフィルタ３４を収容したものである。前記枠体３２は、合成樹脂材料を箱状に成形したもので、上下面および表裏面は格子状となっている。枠体３２の下面前縁部は、フィルタ装着室２１の傾斜した底面に沿うように形成されている。また、枠体３２の上面両側には、前記係止受部２５に係止する断面略Ｌ字形の係止部３３がそれぞれ突設されている。前記フィルタ３４は、レーヨン、ポリエステル等の吸水性および通気性に優れた材料を交互に折り畳んで蛇腹状にしたものである。このフィルタ３４は、散水室２６から落下した水がスムーズに上方から下方へと浸透するように、折り目が上下方向に延びるように枠体３２に収容される。
【００２５】
前記ファン３５は、図３に示すように、外周部に複数のフィンを並設された円筒状のシロッコファンが使用されている。このファン３５は、回転することにより、中心部に空気を吸い込んで、外周部に空気流れを発生させるものである。ファン３５は、空気流路１９の途中に形成したインボリュート通路からなる送風室３６内に配置され、図示しないモータの駆動により回転する。送風室３６は、その内周面がファン３５の外周形状に対して周方向に徐々に広がるように形成されている。これにより、吸込口１７から空気流路１９内に周囲の空気が吸い込まれ、フィルタ部材３１を通過した後、送風室３６から吹出口１８に向かって吹き出される。
【００２６】
前記加湿器において、還流管２３における給水管２７との接続端近傍には、内部の水温を検出するサーミスタ等の第１温度センサ３７が配設されている。また、加湿器本体１０のケーシングには、外部である室内の湿度を検出する湿度センサ３８が配設されている。
【００２７】
また、加湿器本体１０の上面には、図５に示す操作パネル３９が配設され、該操作パネル３９の背部に制御基板（図示せず）が配設されている。
【００２８】
前記操作パネル３９には、左側上部に前記湿度センサ３８による検出値に基づいた湿度を数値表示するためのセグメント表示部４０が設けられている。この表示部４０の下部には、室内が乾燥状態であることを示す乾燥表示部４１が設けられている。この表示部４１の下部には、給水タンク１１内の水が無くなったことを示す給水表示部４２が設けられている。また、前記セグメント表示部４０の右側には、フィルタ３４を除菌するための除菌クリーニングスイッチ４３が設けられている。このスイッチ４３の下部には、使用時間が経過することに伴うフィルタ部材３１のお手入れサイン表示部４４が設けられている。この表示部４４の下部には、ユーザがフィルタ部材３１を清掃した際に累積使用時間をリセットするためのリセットスイッチ４５が設けられている。また、前記除菌クリーニングスイッチ４３の右側には、タイマーの設定時間を示すタイマー表示部４６ａ〜４６ｄが設けられている。これら表示部４６ａ〜４６ｄの下部には、タイマーを設定するためのおやすみスイッチ４７とおはようスイッチ４８とが設けられている。前記タイマー表示部４６ｄの右側には、加湿動作を選択するための選択スイッチ４９が設けられ、その上部に自動運転モードの標準表示部５０と、該標準より加湿機能が低いひかえめ表示部５１と、連続運転モードの強風表示部５２と、中風表示部５３と、弱風表示部５４とが設けられている。また、これらの右側には、マイナスイオン機能の入／切スイッチ５５および表示部５６が設けられ、その下部に、電源の入／切スイッチ５７が設けられている。
【００２９】
前記制御基板には、ユーザが前記操作パネル３９を操作することにより、前記センサ３７，３８による検出に基づいて前記ヒータ２９およびファン３５を制御して所定の動作を実行するマイコン５８が実装されている。このマイコン５８には、図６に示すように、ＲＡＭやＲＯＭ等の記憶部５９が内蔵され、該記憶部５９にヒータ２９およびファン３５を動作させるプログラムが記憶されている。
【００３０】
具体的には、選択スイッチ４９を操作することによる自動標準加湿処理は、湿度センサ３８による検出値に応じて前記ファン３５を単位時間当たりの回転数が多い強風運転、該強風運転より単位時間当たりの回転数が少ない中風運転、または、該中風運転より単位時間当たりの回転数が少ない弱風運転させて加湿を行うものである。また、自動ひかえめ加湿処理は、湿度センサ３８による検出値に応じて前記ファン３５を中風運転または弱風運転させて加湿を行うものである。また、連続強加湿処理は、湿度センサ３８による検出値に拘わらずファン３５を強風運転させて加湿を行うものである。また、連続中加湿処理は、湿度センサ３８による検出値に拘わらずファン３５を中風運転させて加湿を行うものである。また、連続弱加湿処理は、湿度センサ３８による検出値に拘わらずファン３５を弱風運転させて加湿を行うものである。また、除菌クリーニングスイッチ４３を操作することによる除菌処理は、ファン３５を動作させることなく、ヒータのみを動作させることにより、高温の水をフィルタ部材３１に供給し、高温による滅菌を行うものである。また、おやすみスイッチ４７を操作することによるおやすみタイマー処理は、ユーザが選択する１時間後、２時間後、４時間後または６時間後に加湿動作を停止させるものである。また、おやようスイッチ４８を操作することによるおはようタイマー処理は、ユーザが選択する１時間後、２時間後、４時間後または６時間後に加湿動作を開始させるものである。マイナスイオン入／切スイッチ５５を操作することによるマイナスイオン発生処理は、前記送風室３６内に配設した図示しないマイナスイオン発生装置のオン、オフするものである。
【００３１】
そして、本実施形態では、自動標準加湿処理または自動ひかえめ加湿処理が選択（実行）された状態で、前記おやすみタイマー処理が実行された場合、タイマーが終了する前の３０分は、湿度センサ３８による検出値に拘わらずファン３５を弱風運転させる構成としている。また、自動標準加湿処理または自動ひかえめ加湿処理が選択（実行）された状態で、前記おはようタイマー処理が実行された場合、タイマーが終了した後の３０分、即ち、加湿処理の開始した３０分は、湿度センサ３８による検出値に拘わらずファン３５を弱風運転させる構成としている。
【００３２】
また、本実施形態のマイコン５８の記憶部５９には、加湿動作の実行時に、フィルタ部材３１の未装着異常、および、ファン３５の故障異常を検出するための判定データが記憶されている。この判定データは、加湿動作を開始した後、１０秒後に第１温度検出手段によって検出した初期水温（Ｔ０）に基づいて設定（選択）される。具体的には、初期水温（Ｔ０）が０〜５℃の場合には判定データを４８℃に設定し、初期水温（Ｔ０）が５〜１５℃の場合には判定データを４９℃に設定し、初期水温（Ｔ０）が１５〜２５℃の場合には判定データを５０℃に設定し、初期水温（Ｔ０）が２５〜３５℃の場合には判定データを５１℃に設定し、初期水温（Ｔ０）が３５℃以上の場合には判定データを５２℃に設定する構成としている。そして、第１温度センサ３７によって検出した検出温度（Ｔ３７）と、前記選択した判定データとを比較し、異常の有無を判断する異常判断手段を構成する。
【００３３】
次に、前記構成からなる加湿器の動作について具体的に説明する。
【００３４】
まず、取り出した給水タンク１１に給水し、キャップ１２を取り付けて加湿器本体１０に装着すると、突部１６によってキャップ１２の閉鎖部材１３が押し込まれ、給水口１４が開放される。これにより、給水タンク１１から貯水槽１５に給水され、該貯水槽１５での水位が上昇して給水口１４を越えると、給水タンク１１から貯水槽１５への給水が停止する。
【００３５】
続いて、電源を入れると、マイコン５８は、湿度センサ３８から入力された検出データに基づいて湿度をセグメント表示部４０に表示するとともに、乾燥表示部４１を点灯または消灯させる。また、ユーザが選択スイッチ４９を操作して加湿モードを選択すると、マイコン５８は、選択された動作モードでファン３５を動作させるとともに、ヒータ２９への通電を開始する。さらに、この通常の加湿動作と並行して、フィルタ部材３１の未装着状態による異常判断（検出）、および、ファン３５が故障することによる異常判断（検出）を実行する。
【００３６】
加湿処理では、第１温度センサ３７による検出温度に基づいてヒータ２９への通電を行う。これにより、給水管２７のＵ字部２８内の水が加熱されて沸騰し、散水室２６へと供給される。散水室２６に供給された水は、貫通孔３０を介してフィルタ部材３１に供給され、フィルタ３４の全体に浸透する。この結果、ファン３５の駆動により、吸込口１７から吸い込まれた空気がフィルタ３４を通過すると、いずれの領域を通過しても十分に加湿されることになる。また、供給される水は沸騰しているため、その熱によりフィルタ部材３１が滅菌され、常に清潔な状態に維持される。そして、フィルタ部材３１から落下した水は、フィルタ装着室２１の底面に形成した還流孔２２から還流管２３を介して給水管２７に還流され、再び加熱により沸騰された後、散水室２６へと供給される。
【００３７】
一方、異常判断処理では、マイコン５８は、図７に示すように、ステップＳ１−１で、加湿処理の開始と同時に１０秒カウンタをリセットスタートする。そして、ステップＳ１−２で、１０秒カウンタがカウントアップするまで待機し、カウントアップすると、ステップＳ１−３で、第１温度センサ３７によって給水管２７内の水の温度（初期水温Ｔ０）を検出する。その後、ステップＳ１−４で、検出温度（Ｔ０）に対応する判定データを設定する。
【００３８】
ついで、ステップＳ１−５で、水温（Ｔ３７）を検出した後、ステップＳ１−６で、検出した水温（Ｔ３７）が設定した判定データより高いか否かを検出する。そして、水温（Ｔ３７）が判定データより高い場合にはステップＳ１−７に進み、水温（Ｔ３７）が判定データ以下である場合にはステップＳ１−５に戻る。即ち、加湿処理の実行中には、検出した水温（Ｔ３７）が判定データより高くなるまで、このステップＳ１−６，Ｓ１−７を繰り返す。ここで、フィルタ部材３１が未装着である場合には、散水室２６から供給された高温の水が冷却されることなく還流管２３を介して還流されるため、還流管２３における給水管２７との接続端近傍に配設した第１温度センサ３７は高温を検出することになる。そのため、フィルタ部材３１の未装着異常を判断できる。また、ファン３５が故障した場合には、フィルタ部材３１に供給された高温の水が送風により冷却されることなく、フィルタ部材３１から滴下して還流管２３を介して還流される。そのため、フィルタ部材３１と同様にファン３５の異常を判断できる。
【００３９】
ステップＳ１−７では、フィルタ部材３１が未装着であることによる異常、および、ファン３５が故障したことによる異常のいずれかが発生したと判断し、加湿制御の割込停止処理を実行した後、ステップＳ１−８で、制御基板に実装した圧電ブザー等によって異常報知を実行して異常判断処理を終了する。なお、操作パネル３９に異常表示部を設け、その異常表示部を表示させてユーザに報知してもよく、その報知方法は希望に応じて変更が可能である。
【００４０】
このように、第１実施形態の加湿器では、第１温度センサ３７による検出温度（Ｔ３７）と比較する判定データを２種以上設け、加湿動作の開始時の初期水温（Ｔ０）に基づいて判定データを設定するため、外部の温度に影響される水温よって誤判断することなく、フィルタ部材３１が未装着であるという異常、または、ファン３５が故障しているという異常を迅速に検出することができる。
【００４１】
図８および図９は、第２実施形態の加湿器のブロック図および異常判断処理を示す。この第２実施形態では、図８に示すように、加湿器本体１０の外部である室内温度を検出する第２温度センサ６０を更に設け、該第２温度センサ６０による検出温度（Ｔ６０）に基づいて２種以上の判定データのうち所定の判定データを選択するようにした点で第１実施形態と相違している。
【００４２】
なお、第２実施形態での判定データは、第２温度センサ６０による検出温度（Ｔ６０）が０〜５℃の場合には判定データを４８℃に設定し、検出温度（Ｔ６０）が５〜１５℃の場合には判定データを４９℃に設定し、検出温度（Ｔ６０）が１５〜２５℃の場合には判定データを５０℃に設定し、検出温度（Ｔ６０）が２５〜３５℃の場合には判定データを５１℃に設定し、検出温度（Ｔ６０）が３５℃以上の場合には判定データを５２℃に設定する構成としている。そして、この第２実施形態では、加湿処理の実行中に第２温度センサ６０による検出を繰り返し行い、検出温度（Ｔ６０）に応じて判定データを変更するように構成している。
【００４３】
具体的には、第２実施形態の異常判断処理では、マイコン５８は、図９に示すように、ステップＳ２−１で、第２温度センサ６０によって室温（Ｔ６０）を検出した後、ステップＳ２−２で、検出温度（Ｔ６０）に対応する判定データを設定する。
【００４４】
ついで、ステップＳ２−３で、水温（Ｔ３７）を検出した後、ステップＳ２−４で、検出した水温（Ｔ３７）が設定した判定データより高いか否かを検出する。そして、水温（Ｔ３７）が判定データより高い場合にはステップＳ２−５に進み、異常判断に伴う加湿制御の割込停止処理を実行した後、ステップＳ２−６で、異常報知を実行して異常判断処理を終了する。また、水温（Ｔ３７）が判定データ以下である場合にはステップＳ２−１に戻る。
【００４５】
このように、第２実施形態では、誤判断の原因となる外部の温度（室温）を直接検出して２種以上の判定データのうち、所定の判定データを選択して設定するため、第１実施形態と同様に誤判断することなく、フィルタ部材３１が未装着であるという異常、または、ファンが故障しているという異常を迅速に検出することができる。
【００４６】
しかも、第２実施形態では、加湿処理の開始時だけでなく、処理の実行中に第２温度センサ６０による検出温度（Ｔ６０）に基づいて判定データを更新するため、例えば、冬場に気温が低い状態で加湿を開始し、暖房により気温が高くなった場合でも、誤判断の発生を確実に防止できる。
【００４７】
図１０は、第３実施形態の加湿器の異常判断処理を示す。この第３実施形態では、加湿動作の開始時に第１温度センサ３７によって検出する初期水温（Ｔ０）により第１判定データを決定するとともに、第２温度センサ６０によって検出する室温（Ｔ６０）により第２判定データを決定する。そして、これら第１判定データと第２判定データとを比較して、いずれか一方を正規の判定データとして設定するようにした点で第１および第２実施形態と相違している。
【００４８】
具体的には、第３実施形態の異常判断処理では、マイコン５８は、図１０に示すように、ステップＳ３−１で、加湿処理の開始と同時に１０秒カウンタをリセットスタートする。そして、ステップＳ３−２で、１０秒カウンタがカウントアップするまで待機し、カウントアップすると、ステップＳ３−３で、第１温度センサ３７によって給水管２７内の水の温度（初期水温Ｔ０）を検出する。その後、ステップＳ３−４で、検出温度（Ｔ０）に対応する第１判定データを決定する。
【００４９】
ついで、ステップＳ３−５で、第２温度センサ６０によって室温（Ｔ６０）を検出した後、ステップＳ３−６で、検出温度（Ｔ６０）に対応する第２判定データを決定する。
【００５０】
ついで、ステップＳ３−７で、第１判定データと第２判定データとを比較して正規の判定データを設定する。ここで、第１，第２判定データのうち、高い温度を正規の判定データとして設定した場合には、しきい値が高くなるため誤判断の可能性を確実に防止できる。また、低い温度を正規の判定データとして設定した場合には、異常が発生した際の検出時間を短縮することができる。そのため、この判定データの選択方法は、希望に応じて実施すればよい。
【００５１】
判定データを設定すると、ついで、ステップＳ３−８で、水温（Ｔ３７）を検出した後、ステップＳ３−９で、検出した水温（Ｔ３７）が設定した判定データより高いか否かを検出する。そして、水温（Ｔ３７）が判定データより高い場合にはステップＳ３−１０に進み、異常判断に伴う加湿制御の割込停止処理を実行した後、ステップＳ３−１１で、異常報知を実行して異常判断処理を終了する。また、水温（Ｔ３７）が判定データ以下である場合にはステップＳ３−５に戻り、第２判定データの更新および正規判定データの更新を行う。
【００５２】
このように、第３実施形態では、初期水温（Ｔ０）と外部の室温（Ｔ６０）に基づいて第１，第２判定データを２種以上の中から決定し、いずれかを正規判定データとして設定するため、各実施形態と同様に誤判断することなく、フィルタ部材３１が未装着であるという異常、または、ファン３５が故障しているという異常を迅速に検出することができる。
【００５３】
しかも、第３実施形態では、初期水温（Ｔ０）と室温（Ｔ６０）に基づいて判定データを更新するため、温度変化が大きい夏場や冬場でも、その室内状況に対応することが可能であり、誤判断の発生を確実に防止できる。
【００５４】
図１１は、第４実施形態の加湿器の異常判断処理を示す。この第４実施形態の加湿器は、第２温度センサ６０を設けていない第１実施形態と同様の機械的構造をなし、加湿処理の実行中に、所定時間毎に第１温度センサ３７によって水温（Ｔ）を検出し、その検出温度（Ｔ）と前回検出した記憶温度（Ｔａ）との差により異常の有無を判断するようにした点で各実施形態と相違している。
【００５５】
具体的には、第４実施形態の異常判断処理では、マイコン５８は、図１１に示すように、ステップＳ４−１で、３０秒カウンタをリセットスタートする。そして、ステップＳ４−２で、３０秒カウンタがカウントアップするまで待機し、カウントアップすると、ステップＳ４−３で、第１温度センサ３７によって給水管２７内の水の温度（Ｔ）を検出する。
【００５６】
ついで、ステップＳ４−４で、その検出温度（Ｔ）から前回検出した記憶温度（Ｔａ）を減算し、その差が予め設定した判定データ（１５℃）以上であるか否かを検出する。そして、温度差が判定データ未満である場合にはステップＳ４−５に進み、温度差が判定データ以上である場合にはステップＳ４−６に進む。
【００５７】
ステップＳ４−５では、検出温度（Ｔ）を記憶温度（Ｔａ）として更新記憶する。なお、この異常判断処理の実行した第１回目の検出温度（Ｔ）は、減算する前回の記憶温度（Ｔａ）は無い。そのため、この異常判断処理では、検出回数をカウントして１回目の検出の場合には前記ステップＳ４−４をスキップしてステップＳ４−５に進めたり、異常判定処理の最初のステップで、１回目の検出温度（Ｔ）との差が絶対に判定データ以上にならない数値を入力することが好ましい。
【００５８】
一方、温度差が判定データ以上である場合、ステップＳ４−６で、異常判断に伴う加湿制御の割込停止処理を実行した後、ステップＳ４−７で、異常報知を実行して異常判断処理を終了する。
【００５９】
このように、第４実施形態の加湿器では、所定時間毎に検出した検出温度の差に基づいて異常の有無を判断するため、前記各実施形態と同様に誤判断することなく、フィルタ部材３１が未装着であるという異常、または、ファン３５が故障しているという異常を迅速に検出することができる。
【００６０】
図１２は、第５実施形態の加湿器の異常判断処理を示す。この第５実施形態の加湿器は、第２温度センサ６０を設けていない第１実施形態と同様の機械的構造をなし、加湿処理の開始前に、ファン３５を動作させずに異常判断処理を実行する点で前記各実施形態と大きく相違している。
【００６１】
具体的には、第５実施形態の異常判断処理では、マイコン５８は、図１２に示すように、ステップＳ５−１で、６０秒カウンタをリセットスタートする。そして、ステップＳ５−２で、第１温度センサ３７によって給水管２７内の水の温度（Ｔ）を検出する。
【００６２】
ついで、ステップＳ５−３で、その検出温度（Ｔ）が予め設定した判定データ（５０℃）以上であるか否かを検出する。そして、検出温度（Ｔ）が判定データ以上である場合にはステップＳ５−４に進み、異常報知を実行して異常判断処理を終了する。また、検出温度（Ｔ）が判定データ未満である場合にはステップＳ５−５に進み、６０秒カウンタがカウントアップしたか否かを検出する。そして、６０秒カウンタがカウントアップしている場合には異常判断処理を終了し、続いて加湿処理が実行される。また、６０秒カウンタがカウントアップしていない場合にはステップＳ５−１に戻る。
【００６３】
このように、第５実施形態の加湿器では、加湿動作の開始前にファン３５の動作を停止するとともにヒータ２９を動作させることにより、散水室２６から供給される加熱された水が冷却されることを防止した状態で異常判断処理を実行する。そのため、第１温度センサ３７による検出温度と比較する判定データの設定温度を高くしても、フィルタ部材３１が未装着であるという異常を迅速に検出することができる。
【００６４】
なお、本発明の加湿器は、前記実施形態の構成に限定されるものではなく、種々の変更が可能である。
【００６５】
例えば、第１実施形態から第３実施形態では、第１温度センサ３７による温度（Ｔ３７）の検出を逐次繰り返して行うようにしたが、所定時間毎に行うようにしてもよい。同様に、第２および第３実施形態では、湿度センサ３８による湿度の検出を逐次繰り返して判定データを更新するようにしたが、所定時間毎に行うようにしてもよい。
【００６６】
また、第５実施形態では、異常判断処理の実行中に加湿処理が実行されないため、ウォームアップ中であることを意味する表示を行うようにしてもよい。
【００６７】
さらに、前記各実施形態では、第１温度センサ３７を還流管２３における給水管２７との接続端近傍に配設したが、その配設位置は希望に応じて変更が可能である。具体的には、第１実施形態から第３実施形態では給水管２７におけるヒータ２９の上流側であれば同様の作用および効果を得ることができ、第４実施形態および第５実施形態では給水管２７におけるヒータ２９と還流管２３との間であれば同様の作用および効果を得ることができる。
【図面の簡単な説明】
【００６８】
【図１】本発明の実施形態に係る加湿器の正面部分断面図である。
【図２】加湿器の側面断面図である。
【図３】加湿器の図１とは異なる箇所での正面部分断面図である。
【図４】図２の散水室およびフィルタ部材を示す拡大断面図である。
【図５】加湿器の操作パネルを示す平面図である。
【図６】第１実施形態の加湿器の構成を示すブロック図である。
【図７】第１実施形態の加湿器の異常判断処理を示すフローチャートである。
【図８】第２実施形態の加湿器の構成を示すブロック図である。
【図９】第２実施形態の加湿器の異常判断処理を示すフローチャートである。
【図１０】第３実施形態の加湿器の異常判断処理を示すフローチャートである。
【図１１】第４実施形態の加湿器の異常判断処理を示すフローチャートである。
【図１２】第５実施形態の加湿器の異常判断処理を示すフローチャートである。
【符号の説明】
【００６９】
１０…加湿器本体
１１…給水タンク
１７…吸込口
１８…吹出口
１９…空気流路
２３…還流管
２６…散水室
２７…給水管
２９…ヒータ（加熱手段）
３１…フィルタ部材（加湿部材）
３５…ファン（送風手段）
３７…第１温度センサ（第１温度検出手段）
３８…湿度センサ
５８…マイコン（異常判断手段）
６０…第２温度センサ（第２温度検出手段）
【図１】
2005351572.tif 000003
【図２】
2005351572.tif 000004
【図３】
2005351572.tif 000005
【図４】
2005351572.tif 000006
【図５】
2005351572.tif 000007
【図６】
2005351572.tif 000008
【図７】
2005351572.tif 000009
【図８】
2005351572.tif 000010
【図９】
2005351572.tif 000011
【図１０】
2005351572.tif 000012
【図１１】
2005351572.tif 000013
【図１２】
2005351572.tif 000014